(57)【特許請求の範囲】
【請求項１】
光ファイバ心線とそれを挟み込むテンションメンバが、ノッチ部を有するシースによって覆われている光ドロップケーブル用ロック装置であって、
前記シースの概形に対応するいくつかの貫通孔が軸心に沿って形成されており、その全体の概形が円錐状の一部を構成する円錐台形状のゴムスリーブと、
前記貫通孔に光ドロップケーブルが通された状態で、前記ゴムスリーブの位置決めを行う、その内径が当該ゴムスリーブの底面の直径よりも小さい段差部を有する部材と、
前記ゴムスリーブを把持するためのテーパー部を有していて前記部材に螺合されるキャップとを備え、
前記部材に前記ゴムスリーブがその底面から挿入された状態で、前記部材に前記キャップが螺合されて、前記ゴムスリーブの側面が前記テーパー部により軸心に向けて締め付けられるとともに、前記ゴムスリーブがその軸方向に押圧されて、当該ゴムスリーブの底面の外縁部と前記段差部とによって密閉される光ドロップケーブル用ロック装置。
【請求項２】
前記貫通孔は略８の字状であり、当該貫通孔が複数形成されている場合には、相互に同方向に揃えて形成されている、請求項１記載の光ドロップケーブル用ロック装置。
【請求項３】
前記ゴムスリーブは円錐形の一部を構成する形状であり、
前記部材は、前記ゴムスリーブの側面を囲うスリット部を備え、当該スリット部をその軸心に向けて絞ることで当該ゴムスリーブを把持する、請求項１記載の光ドロップケーブル用ロック装置。
【請求項４】
請求項１記載の光ドロップケーブル用ロック装置に用いられるゴムスリーブであって、
前記シースの概形に対応するいくつかの貫通孔が軸心に沿って形成されており、その全体の概形が円錐状の一部を構成する円錐台形状をしていて、
光ドロップケーブル用ロック装置における前記テーパー部によって、前記貫通孔に光ドロップケーブルが通された状態で、把持されるように構成されていて、
前記部材に前記底面から挿入された状態で、前記部材に前記キャップが螺合されたときに、側面が前記テーパー部により軸心に向けて締め付けられるとともに、その軸方向に沿って押圧されて、底面の外縁部と前記段差部とによって密閉される、ゴムスリーブ。
【発明の詳細な説明】
【技術分野】
【０００１】
本発明は、光ドロップケーブル用ロック装置に関し、特に、防水対策が施された光ドロップケーブル用ロック装置に関する。
【背景技術】
【０００２】
従来、特許文献１に開示されているように、光ファイバ心線の上下に抗張力体が配置され、その上部の抗張力体上に支持線が配置され、これら支持線、抗張力体、光ファイバ心線を、樹脂組成物で押出被覆して樹脂被覆層を形成した光ドロップケーブルがある。【０００３】
光ドロップケーブルを屋外から屋内に取り込む場合には、住宅の屋内外壁面に設置される光キャビネットにて、光ドロップケーブルと屋内のインドアケーブルとが、光コネクタを使用して接続される。【０００４】
ここで、光キャビネットと光ドロップケーブルとの接続部には、光ドロップケーブル用ロック装置と称されるものが設けられる。光キャビネットが屋外壁に設置されている場合には、光ドロップケーブル用ロック装置の接続部分周辺で、防水対策を行うことが必要となる。【０００５】
【特許文献１】特開２０１０−２５００１１号公報
【発明の開示】
【発明が解決しようとする課題】
【０００６】
しかし、特許文献１に記載されている光ドロップケーブルは、特異な形状をしているため、既知の光ドロップケーブル用ロック装置を用いた場合には、光ドロップケーブル用ロック装置と光ドロップケーブルとの接続部に空間が生じるため、その空間を塞ぐといった防水対策を施すのは面倒である。【０００７】
そこで、本発明は、特異な形状の光ドロップケーブルに対しても防水対策を容易に実現できる光ドロップケーブル用ロック装置を提供することを課題とする。
【課題を解決するための手段】
【０００８】
上記課題を解決するために、本発明は、
光ファイバ心線とそれを挟み込むテンションメンバが、ノッチ部を有するシースによって覆われている光ドロップケーブル用ロック装置であって、
前記シースの概形に対応するいくつかの貫通孔が軸心に沿って形成されており、円錐状の一部を構成する形状のゴムスリーブと、
前記貫通孔に光ドロップケーブルが通された状態で、前記ゴムスリーブをその軸心方向に向けて絞るように構成されている部材とを備える光ドロップケーブル用ロック装置である。【０００９】
前記貫通孔は略８の字状であり、当該貫通孔が複数形成されている場合には、相互に同方向に揃えて形成されていてもよい。【００１０】
前記ゴムスリーブは円錐形の一部を構成する形状であり、
前記部材は、前記ゴムスリーブの側面を囲うスリット部を備え、当該スリット部をその軸心に向けて絞ることで当該ゴムスリーブを把持するようにしてもよい。【００１１】
前記ゴムスリーブの硬度は、４０度〜５０度の範囲とするとよい。【００１２】
また、本発明は、上記光ドロップケーブル用ロック装置に用いられるゴムスリーブであって、
前記シースの概形に対応するいくつかの貫通孔が軸心に沿って形成されており、円錐状の一部を構成する形状をしていて、
光ドロップケーブル用ロック装置における前記部材によって、前記貫通孔に光ドロップケーブルが通された状態で、軸心方向に向けて絞るように構成されている、ゴムスリーブである。
【図面の簡単な説明】
【００１３】
【図１】本発明の実施形態１の光ドロップケーブル用ロック装置１００の正面図、背面図、平面図及び底面図、及び、左右側面図である。
【図２】図１（ａ）〜図１（ｄ）に示す光ドロップケーブル用ロック装置１００を示す分解斜視図である。
【図３】図２に示すゴムスリーブ２０に通される光ドロップケーブル２００の模式的な構成図である。
【図４】図３に示す光ドロップケーブル２００が通されるゴムスリーブ２０を示す側面図、平面図及び底面図である。
【図５】本発明の他の実施形態のゴムスリーブ２０の模式的な構成図である。
【図６】本発明の他の実施形態のゴムスリーブ２０の模式的な構成図である。
【図７】本発明の実施形態２に係るゴムスリーブの側面図（図７（ａ））及び平面図である。
【符号の説明】
【００１４】
１０  ボルト部
２０  ゴムスリーブ
２２  第１面
２４  第２面
２６  貫通孔
３０  キャップ
４０  ゴムパッキン
５０  ロックナット
２１０  光ファイバ心線
２２０  テンションメンバ（抗張力体）
２３０  シース（樹脂被覆層）
２４０  支持線
２５０  ノッチ部
【発明の実施の形態】
【００１５】
以下、本発明の実施形態について図面を参照して説明する。
【００１６】
（実施形態１）
図１は、本発明の実施形態１の光ドロップケーブル用ロック装置１００の正面図（図１（ａ））、背面図（図１（ｂ））、平面図及び底面図（図１（ｃ））、及び、左右側面図（図１（ｄ））である。
【００１７】
図２は、図１（ａ）〜図１（ｄ）に示す光ドロップケーブル用ロック装置１００を示す分解斜視図である。図１及び図２には、以下説明する、ボルト部１０と、ゴムスリーブ２０と、キャップ３０と、ゴムパッキン４０と、ロックナット５０とを示している。
【００１８】
なお、これらに限定されるものではないが、ボルト部１０及びキャップ３０はポリアミドなどプラスチック製とすることができ、ロックナット５０はポリアミドなど樹脂製又は金属製とすることができ、ゴムスリーブ２０及びゴムパッキン４０は、クロロプレンゴム、ニトリルゴム、ブチルゴムなどのゴム製とすることができる。
【００１９】
ボルト部１０は、ゴムスリーブ２０の形状に対応する空間が形成された中空構造をしている。ボルト部１０の長手方向に対する中央には、締め付けの際にスパナなどを受ける六角形状の受け部１２が位置している。受け部１２の両端には、雄ねじが切られた軸部１４，１６が位置している。軸部１６は、ゴムパッキン４０が挿入された状態で、光ドロップケーブル用ロック装置１００の取り付け対象であるところの光キャビネットに設けられた開口部に差し込まれた状態で、ロックナット５０と螺合される。
【００２０】
一方、軸部１４は、ゴムスリーブ２０が挿入された状態で、キャップ３０と螺合される。軸部１４の内壁には、ボルト部１０の長手方向に対するゴムスリーブ２０の位置決めを行うために、その内径がゴムスリーブ２０の底面の直径よりも小さい段差部１４Ａが形成されている。軸部１４の先端には、複数のスリットを有していて、使用時にゴムスリーブ２０の側面を囲うスリット部１８が位置する。スリット部１８を構成する各スリットは、ボルト部１０の径方向に対して４５°程度の角度で形成されている。スリット部１８は、ボルト部１０とキャップ３０との螺合によって、その軸心に向けて絞られ、これによって、ゴムスリーブ２０の把持が実現される。
【００２１】
ゴムスリーブ２０は、後述するように、概形が円錐状の一部を構成していて、相対的に小さな円形領域である第１面２２と、相対的に大きな円形領域である第２面２４と、ゴムスリーブ２０の軸心に沿って第１面２２から第２面２４にかけて貫通していて、光ドロップケーブルを把持することになる貫通孔２６とを備える。
【００２２】
キャップ３０は、いわゆる六角ナットと同様の構成とされており、ボルト部１０の軸部１４と螺合される雌ねじ部３２と、光ドロップケーブルが通される開口部３６とを有する。また、開口部３６に隣接して、テーパー部３４が形成されている。テーパー部３４は、既述のように、ボルト部１０のスリット部１８を、その軸心に向けて絞る機能を有する。
【００２３】
ゴムパッキン４０は、光ドロップケーブル用ロック装置１００と図示しない光キャビネットとの間の密閉性を担保するためのものである。なお、ゴムパッキン４０自体を別個に用意するのではなく、これに代えて、ボルト部１０の受け部１２における軸部１６側の面にゴムなどを貼付することで、上記密閉性を担保してもよい。
【００２４】
ロックナット５０は、ボルト部１０とともに、光ドロップケーブル用ロック装置１００を、図示しない光キャビネットに取り付けるためのものであり、その内壁には軸部１６に螺合される雌ねじ部５２が形成されている。
【００２５】
図３は、図２に示すゴムスリーブ２０に通される光ドロップケーブル２００の模式的な構成図である。図３に示す光ドロップケーブル２００は、既知のように、光ファイバ心線２１０と、その両側に位置するテンションメンバ（抗張力体）２２０と、テンションメンバ２２０に隣接して設けられている支持線２４０と、これらを覆うシース（樹脂被覆層）２３０とを備え、シース２３０にはノッチ部２５０が形成されている。
【００２６】
図３に示すように、支持線２４０を除く部分の概形、すなわち、光ファイバ心線２１０及びテンションメンバ２２０と、これらを覆うシース２３０とによる概形は、ノッチ部２５０が形成されていることにより８の字状をしている。
【００２７】
図４は、図３に示す光ドロップケーブル２００が通されるゴムスリーブ２０を示す正面図（図４（ａ））、平面図（図４（ｂ））及び底面図（図４（ｃ））である。
【００２８】
図４（ａ）に示すように、ゴムスリーブ２０は、概形が円錐の一部を構成していている。また、図４（ｂ）〜図４（ｃ）に示すように、第１面２２及び第２面２４は、共に円形をしている。また、図４（ａ）〜図４（ｂ）に示すように、第１面２２は、第２面２４に比して、相対的に面積が小さく、第１面２２から第２面２４に向けて貫通孔２６が形成されている。
【００２９】
貫通孔２６は、光ドロップケーブル２００のうち、支持線２４０を除く部分が通される。貫通孔２６の形状は、光ドロップケーブル２００の概形に対応させて略８の字状をしている。
【００３０】
ここで、ゴムスリーブ２０は、光ドロップケーブル２００との間の密閉性を担保する条件としている。具体的には、まず、ＪＩＳ  Ｋ  ６２５３におけるゴムスリーブ２０の硬度は、概ね４０度〜５０度（例えば４５度程度）となるように調整している。このような硬度であれば、光ドロップケーブル２００を把持しているときに、硬くて光ドロップケーブル２００が破損したり、柔らかくて密閉性が担保できなかったりということはない。
【００３１】
また、貫通孔２６の大きさは、ゴムスリーブ２０と光ドロップケーブル２００との間の密閉性を担保する条件とすることはもとより、光ドロップケーブル２００を通すときの取扱性の便宜なども考慮した上で決定している。光ドロップケーブル２００は、支持線２４０を除く部分の大きさが３．２ｍｍ×２．０ｍｍ程度のものが大半である。そこで、貫通孔２６の大きさは、これらに対して約０ｍｍ〜０．３ｍｍ程度のクリアランスを設けた大きさとしている。
【００３２】
このような条件としたゴムスリーブ２０を用いると、ボルト部１０のスリット部１８とキャップ３０のテーパー部３４との作用によって、ボルト部１０内に収容されたゴムスリーブ２０が締め付けられ、ゴムスリーブ２０を把持した際に、これらの間の密閉性を担保することができる。
【００３３】
図５（ａ）〜図５（ｃ）は、本発明の他の実施形態のゴムスリーブ２０の模式的な構成図であり、それぞれ、図４（ｂ）に対応するものである。図５（ａ）には２個の貫通孔２６が形成され、図５（ｂ）には６個の貫通孔２６が形成され、図５（ｃ）には１０個の貫通孔２６が形成された状態を示している。本実施形態の光ドロップケーブル用ロック装置１００は、図５（ａ）〜図５（ｃ）に示すような、複数の貫通孔２６が形成されたゴムスリーブ２０を用いてもよい。
【００３４】
具体的には、マンションなどの集合住宅では、光ドロップケーブル２００が複数必要となる場合もあるところ、複数の光ドロップケーブル２００に対応するために、光ドロップケーブル用ロック装置１００に、集合住宅等の規模に応じた数の貫通孔２６が形成されたゴムスリーブ２０を用いることができる。
【００３５】
なお、全ての貫通孔２６を用いない場合には、光ドロップケーブル２００を通さない貫通孔２６に対しては、防水性を担保するために、その使用時には、光ドロップケーブル２００の形状と同様の形状である略８の字状の詰栓を挿し込むとよい。
【００３６】
ここで、図５（ａ）〜図５（ｃ）に示すゴムスリーブ２０は、貫通孔２６の向きを全て同方向に揃えて形成している。これは、光ドロップケーブル２００は、その形状に起因して、曲がりやすい方向があるので、貫通孔２６の向きを揃えておかないと、複数の光ドロップケーブル２００の取り込みが困難となるし、その一方で、無理やり光ドロップケーブル２００を曲がりにくい方向に曲げると、光ファイバ心線２１０が折れるなどの弊害が生じうるという状況を考慮している。したがって、図５（ａ）〜図５（ｃ）に示すように、ゴムスリーブ２０の貫通孔２６を、同じ向きに揃えて形成することは重要である。
【００３７】
図６は、図４，図５等に示したゴムスリーブ２０の同様の図である。図６（ａ）〜図６（ｃ）は図４（ａ）〜図４（ｃ）に相当し、図６（ｄ）〜図６（ｅ）は図５（ａ）に対応し、図６（ｆ）〜図６（ｇ）は図５（ｂ）に対応し、図６（ｈ）〜図６（ｊ）は図５（ｃ）に対応する。なお、図６（ａ）及び図６（ｈ）に示す正面図に対し、これらの左右側面図及び背面図も同様である。
【００３８】
既述の各種条件によって製造された本実施形態の光ドロップケーブル用ロック装置１００は、保護等級ＩＰ（International Protection）としてＩＰ６６、光ドロップケーブル２００のクランプ力としては５０Ｎを実現できた。
【００３９】
以上、本実施形態では、光ドロップケーブル２００を対象とした光ドロップケーブル用ロック装置１００について説明したが、インドアケーブルに対しても用いることができるので、本明細書においては光ドロップケーブルという用語は、インドアケーブルを含むものとする。なお、インドアケーブルも概形が２ｍｍ×３ｍｍ程度のものが一般的であったが、本出願人が調査したところによれば、２ｍｍ×２ｍｍ程度のものが最小であった。
【００４０】
一般的な大きさのインドアケーグルを用いた場合のクランプ力も５０Ｎを実現できた。また、最小サイズのインドアケーブルを用いた場合のクランプ力は３０Ｎを実現できた。
【００４１】
（実施形態２）
図７は、本発明の実施形態２に係るゴムスリーブの側面図（図７（ａ））及び平面図である（図７（ｂ））。図７に示すゴムスリーブ２０は、実施形態１のものに比して、より気密性を高めたものである。
【００４２】
このゴムスリーブ２０は、第１面２２と第２面２４との間を構成する第１部分と、第１面２２と第３面２７との間を構成する第２部分とを備え、第１部分と第２部分とは一体的に形成されている。
【００４３】
第１部分は、その軸心に平行となる円柱面と、実施形態１のものと同様に円錐状の一部を構成している面とを含む。第２部分は、第１面２２から第３面２７まで円錐状の一部を構成している。なお、貫通孔２６は、第１部分と第２部分との軸心を通る態様で形成されている。
【００４４】
このゴムスリーブ２０の硬度は、実施形態１のものと同様であり、概ね４０度〜５０度（例えば４５度程度）となるように調整している。また、貫通孔２６の大きさは、これらに対して約０ｍｍ〜０．３ｍｍ程度のクリアランスを設けた大きさとしている。
【００４５】
このゴムスリーブ２０は、軸部１４に挿入され、軸部１４に対してキャップ３０が螺合されると、キャップ３０の開口部３６から、第２部分が突出することになる。そして、例えば、光ドロップケーブル用ロック装置１００を、直接噴流を含む高湿環境下等で使用する場合には、第２部分とキャップ３０との間に自己融着テープ等を選択的に巻きつけるとよい。
【００４６】
本実施形態の光ドロップケーブル用ロック装置１００に対して、以下の条件で気密試験を行った。すなわち、既述の要領で光ドロップケーブル用ロック装置１００を組立、軸部１６内から約０．１５ＭＰａの圧力で空気を３０秒間印加した。そして、この場合における、開口部３６とゴムスリーブ２０の第２部分との間からの空気漏れの有無を確認した。この結果、第２部分とキャップ３０との間に自己融着テープ等を巻きつけていない状態でも、これらの間からの空気漏れは発生しなかった。
【要約】
【課題】特異な形状の光ドロップケーブルに対しても防水対策を容易に実現できる光ドロップケーブル用ロック装置を提供する。
【解決手段】光ドロップケーブル用ロック装置１００は、光ファイバ心線２１０とそれを挟み込むテンションメンバ２２０が、ノッチ部２５０を有するシース２３０によって覆われている光ドロップケーブル２００用のロック装置１００であって、シース２３０の概形に対応するいくつかの貫通孔２６が軸心に沿って形成されており、円錐状の一部を構成する形状のゴムスリーブ２０と、貫通孔２６に光ドロップケーブル２００が通された状態で、ゴムスリーブ２０をその軸心方向に向けて絞るように構成されたスリット部１８及びテーパー部３４とを備える。
【選択図】図２【図１】
0005715704.tif 000002
【図２】
0005715704.tif 000003
【図３】
0005715704.tif 000004
【図４】
0005715704.tif 000005
【図５】
0005715704.tif 000006
【図６】
0005715704.tif 000007
【図７】
0005715704.tif 000008